(57)【要約】【課題】反射傘に対する無電極放電灯の取付け位置を工夫することで、反射傘から外部に漏れる輻射雑音を抑制できるようにした無電極放電灯用照明器具を提供する。【解決手段】バルブ２の内部に形成されたキャビティ４内に、フェライトコア９と、このフェライトコア９の外周囲に巻き付けられた誘導コイル１０とでなるカプラ１５が設けられ、フェライトコア９は、複数個に分割されたものである無電極放電灯１と、この無電極放電灯１を取付ける反射傘１３とでなる無電極放電灯用照明器具であって、無電極放電灯１は、分割されたフェライトコア９（９ａ，９ｂ）により形成されるギャップ部９ｃの少なくとも一部が反射傘１３の開放面１３ａ側に向くように、反射傘１３に取付けられるようにした。【選択図】図４
2009205817.tif 000002
【特許請求の範囲】
【請求項１】
放電ガスが封入されたガラス球状のバルブの内部にキャビティが形成され、このキャビティ内に、フェライトコアと、このフェライトコアの外周囲に巻き付けられた誘導コイルとでなるカプラが設けられ、前記フェライトコアは、軸方向に切断されることで円周方向に複数個に分割されたものである無電極放電灯と、この無電極放電灯を取付ける金属製反射傘とでなる無電極放電灯用照明器具であって、
前記無電極放電灯は、分割されたフェライトコアにより形成されるギャップ部の少なくとも一部が反射傘の開放面側に向くように、反射傘に取付けられるようにしたことを特徴とする無電極放電灯用照明器具。
【発明の詳細な説明】
【技術分野】
【０００１】
本発明は、放電ガスが封入されたバルブに、誘導コイルで発生する誘導電界を作用させることでプラズマを発生させ、水銀原子から発生する紫外線がバルブ内面の蛍光体で可視光に変換されるようになった無電極放電灯用照明器具に関する。
【背景技術】
【０００２】
従来、放電ガスが封入されたガラス球状のバルブの内部にキャビティが形成され、このキャビティ内に、フェライトコアと、このフェライトコアの外周囲に巻き付けられた誘導コイルとでなるカプラが設けられた無電極放電灯がある（特許文献１参照）。この特許文献１のフェライトコアは、軸方向に切断されることで円周方向に複数個に分割されている。
【０００３】
このような無電極放電灯では、誘導コイルがキャビティ内にあり、かつフェライトコアを有することから、輻射雑音を低減することが可能である。
【特許文献１】特開２００４−８７１４９号公報
【発明の開示】
【発明が解決しようとする課題】
【０００４】
しかしながら、無電極放電灯を金属製反射傘に取付けた無電極放電灯用照明器具では、誘導コイルで発生する誘導電界（磁束）が反射傘の開放面から外部（室内）に漏れやすいので、輻射雑音を充分に抑制できないという問題がある。
【０００５】
本発明は、前記問題を解消するためになされたもので、反射傘に対する無電極放電灯の取付け位置を工夫することで、反射傘から外部に漏れる輻射雑音を抑制できるようにした無電極放電灯用照明器具を提供することを目的とするものである。
【課題を解決するための手段】
【０００６】
前記課題を解決するために、本発明は、放電ガスが封入されたガラス球状のバルブの内部にキャビティが形成され、このキャビティ内に、フェライトコアと、このフェライトコアの外周囲に巻き付けられた誘導コイルとでなるカプラが設けられ、前記フェライトコアは、軸方向に切断されることで円周方向に複数個に分割されたものである無電極放電灯と、この無電極放電灯を取付ける金属製反射傘とでなる無電極放電灯用照明器具であって、前記無電極放電灯は、分割されたフェライトコアにより形成されるギャップ部の少なくとも一部が反射傘の開放面側に向くように、反射傘に取付けられるようにしたことを特徴とする無電極放電灯用照明器具を提供するものである。
【発明の効果】
【０００７】
本発明によれば、無電極放電灯の分割されたフェライトコアにより形成されるギャップ部の少なくとも一部を、金属製反射傘（グランド側）の開放面側に向くように、反射傘に取付けるようにしたものである。すなわち、フェライトコアと誘導コイルを中心として、その外周囲に、ほぼ同心円状で誘導電界（磁束）が発生するが、その磁束の強度（密度）は、ギャップ部の延長線上ではコア部の延長線上よりも弱くなる傾向にある。そこで、磁束の強度が弱くなるフェライトコアのギャップ部を反射傘の開放面側に向くように、反射傘に取付けることで、反射傘から外部に漏れる輻射雑音を抑制できるようになる。
【発明を実施するための最良の形態】
【０００８】
以下、本発明を実施するための最良の形態について、図面を参照しながら詳細に説明する。
【０００９】
図１は無電極放電灯１の断面図である。ガラス球状のバルブ２の基部２ａは、円筒状の基台３の上部に嵌め込んで固定されている。バルブ２の内部中心にはキャビティ４が形成されている。このキャブティ４には、後述する放熱部材７の中空部を通って、底部分から開口部分に向かって延在する排気細管２５が一体形成されている。
【００１０】
バルブ２の内面およびキャビティ４のバルブ２内の周面には、保護膜５ａと蛍光体膜５ｂとが形成されている。バルブ２内には、放電ガスとして、アルゴンが４０Ｐａで封入されている。
【００１１】
キャビティ４内には、基台３の内底部に下端部が支持されて、キャビティ４内の上方に延在する筒状の放熱部材７が配置されている。
【００１２】
キャビティ４内において、放熱部材７の外周にはフェライトコア９が嵌め込まれ、このフェライトコア９の外周囲には誘導コイル１０が巻き付けられている。フェライトコア９は、誘導コイル１０に通電する高周波電流が数百ＫＨｚという低い周波数であるために必要とするものである。このフェライトコア９と誘導コイル１０とはカプラ１５を構成する。
【００１３】
基台３の内底部には、高周波電源１１が設けられ、この高周波電源１１から誘導コイル１０に高周波電流が供給されるようになる。
【００１４】
フェライトコア９は、図２および図３に詳細に示すように、軸方向に切断されることで円周方向に複数個（本例では２個）に分割されている。この分割されたフェライトコア９ａ，９ｂにより、１８０度対称位置にギャップ（隙間）部９ｃがそれぞれ形成されるようになる。
【００１５】
図４に示すように、無電極放電灯１を天井に設置した金属製反射傘１３に横向きで取付ける場合を説明する。この場合には、分割されたフェライトコア９ａ，９ｂにより形成されるギャップ部９ｃの少なくとも一部（本例では下側の１個）が反射傘１３の開放面１３ａの側（下向き）に向くように、反射傘１３に取付けるようにする。
【００１６】
前記のように無電極放電灯用照明器具を構成すれば、図３に示したように、フェライトコア９と誘導コイル１０を中心として、その外周囲に、ほぼ同心円状で誘導電界（磁束）Ｅが発生する。その磁束の強度（密度）は、ギャップ部の延長線ａ上ではコア部の延長線ｂ上よりも弱くなる（誘導電界（磁束）Ｅの窪みｅを参照）傾向にある。
【００１７】
そこで、磁束の強度が弱くなるフェライトコア９（９ａ，９ｂ）のギャップ部９ｃを反射傘１３の開放面１３ａの側に向くように、反射傘１３に取付けることで、無電極放電灯１の点灯時、反射傘１３から外部に漏れる輻射雑音を抑制できるようになるのである。
【００１８】
前記実施形態は、無電極放電灯１を天井に設置した反射傘１３に横向きで取付ける場合であったが、無電極放電灯１を壁に設置した反射傘１３に縦向きで取付ける場合には、反射傘１３の開放面１３ａの側（横向き）に向くように、反射傘１３に取付けるようにすれば良い。
【図面の簡単な説明】
【００１９】
【図１】本発明に係る無電極放電灯の断面図である。
【図２】誘導コイルで発生する誘導電界（磁束）の斜視図である。
【図３】誘導コイルで発生する誘導電界（磁束）の側面断面図である。
【図４】無電極放電灯を取付けた反射傘の側面断面図である。
【符号の説明】
【００２０】
１      無電極放電灯
２      バルブ
３      基台
４      キャビティ
９（９ａ，９ｂ）  フェライトコア
９ｃ    ギャップ部
１０    誘導コイル
１３    金属製反射傘
１３ａ  開放面
１５    カプラ
Ｅ      誘導電界（磁束）
【図１】
2009205817.tif 000003
【図２】
2009205817.tif 000004
【図３】
2009205817.tif 000005
【図４】
2009205817.tif 000006